(57)【要約】  特定のスペクトル条件下で個人の少なくとも片眼の屈折力を特定する方法であって、この方法は、その間に個人の眼が前記特定のスペクトル条件下で照明される眼照明ステップであって、前記特定のスペクトル条件は白色光源とは異なるスペクトルを有する多色光源によって、及び個人の眼の前に位置付けられ、光源により照明される色フィルタによって提供されるステップと、−  その間に個人の眼の屈折力が前記特定のスペクトル条件下で特定される屈折力特定ステップと、を含む。
2021506518.tif 000002
【特許請求の範囲】
【請求項１】
特定のスペクトル条件下での個人の少なくとも片眼の屈折力を特定する方法であって、
−  その間に前記個人の前記眼が前記特定のスペクトル条件下で照明される眼照明ステップであって、前記特定のスペクトル条件は白色光源のスペクトルとは異なるスペクトルを有する多色光源により、及び／又は前記個人の前記眼の前に位置付けられ、光源により照明される色フィルタにより提供されるステップと、
−  その間に前記個人の前記眼の前記屈折力が前記特定のスペクトル条件下で特定される屈折力特定ステップと、
を含む方法。
【請求項２】
前記多色光源は、ＣＩＥ  ｘｙＹ色空間内のその少なくとも１つの色座標ｘ又はｙは、黒体軌跡の、それに対応する色座標から少なくとも０．０１だけ、好ましくは少なくとも０．０２だけ、有利には少なくとも０．０３だけ異なるスペクトルを有する、請求項１に記載の方法。
【請求項３】
前記色フィルタは、厳密に１０より高い、好ましくは厳密に２０より高い、有利には厳密に３０より高い色彩値を有する、請求項１に記載の方法。
【請求項４】
個人に適応させたスペクトル−屈折力モデルを特定する方法であって、
−  その間に複数の特定のスペクトル条件が提供される特定スペクトル条件提供ステップと、
−  その間に、前記特定のスペクトル条件の各々について、前記特定のスペクトル条件に関する少なくとも１つのスペクトルパラメータ、例えばスペクトル又は光量が提供されるスペクトルパラメータ提供ステップと、
−  その間に、前記特定のスペクトル条件の各々について、請求項１〜３の何れかの方法にしたがって前記個人の前記眼の屈折力が連続的に特定される屈折力特定ステップと、
−  その間に前記スペクトルパラメータに応じた前記個人の前記眼の前記屈折力のモデルが、前記個人の前記眼の前記屈折力の各々及び前記スペクトルパラメータの各々に基づいて特定されるスペクトル−屈折力モデル特定ステップと、
を含む方法。
【請求項５】
前記スペクトル−屈折力モデル特定ステップの間に、前記モデルは、前記スペクトルパラメータに応じた前記個人の前記眼の前記屈折力の内挿及び／又は外挿により特定される、請求項４に記載の方法。
【請求項６】
装用時のスペクトル条件下での個人の眼の屈折力を、前記個人の前記眼の前で光を屈折させるように構成された構成要素を含む光学システムを使って補償する方法であって、
−  その間に特定のスペクトル条件下での前記個人の前記眼の屈折力が特定される、請求項１〜３の何れかの方法による屈折力特定ステップと、
−  その間に光学システムが提供される光学システム提供ステップであって、前記光学システムは、前記個人の前記眼の前で光を屈折させるように構成された構成要素を含み、前記構成要素は前記特定された屈折力に応じて選択されるステップと、
−  その間に装用時のスペクトル条件下での前記個人の前記眼の前記屈折力が前記光学システムの前記構成要素により補償される屈折力補償ステップと、
を含む方法。
【請求項７】
複数の色フィルタの中から個人に適応させた光学システムのための色フィルタを選択する方法であって、
−  その間に前記個人の処方等の目標屈折力が提供される目標屈折力提供ステップと、
−  その間に眼鏡レンズが提供される眼鏡レンズ提供ステップであって、前記眼鏡レンズは屈折力に関連付けられるステップと、
−  その間に複数の色フィルタが提供される色フィルタ提供ステップであって、各色フィルタは請求項１〜３の何れかの方法にしたがって特定される屈折力に関連付けられるステップと、
−  その間に、前記色フィルタの各々について、前記眼鏡レンズと前記色フィルタの関連付けの結果として得られる屈折力が特定される結果的屈折力特定ステップと、
−  その間に、各色フィルタについて、前記結果的屈折力と前記目標屈折力との差が特定される屈折力差特定ステップと、
−  その間に前記結果的屈折力と前記目標屈折力との間の最小差を誘導する色フィルタが選択される色フィルタ選択ステップと、
を含む方法。
【請求項８】
特定のスペクトル条件下での個人の少なくとも片眼の屈折力を特定する方法であって、
−  その間にスペクトルパラメータに応じた少なくとも片眼の屈折力のモデルが提供されるスペクトル−屈折力モデル提供ステップと、
−  その間に前記個人の特定のスペクトル条件に関する少なくとも１つのスペクトルパラメータが提供されるスペクトルパラメータ提供ステップと、
−  その間に特定の光条件下での前記個人の前記眼の屈折力が前記モデル及び前記光パラメータに基づいて特定される屈折力特定ステップと、
を含む方法。
【請求項９】
前記スペクトル−屈折力モデルは個人に適応させたスペクトル−屈折力モデルを特定する方法にしたがって特定され、前記方法は、
−  その間に複数の特定のスペクトル条件が提供される特定スペクトル条件提供ステップと、
−  その間に、前記特定のスペクトル条件の各々について、前記特定のスペクトル条件に関する少なくとも１つのスペクトルパラメータ、例えばスペクトル又は光量が提供されるスペクトルパラメータ提供ステップと、
−  その間に、前記特定のスペクトル条件の各々について、特定のスペクトル条件下で個人の少なくとも片眼の屈折力を特定する方法にしたがって前記個人の前記眼の屈折力が連続的に特定される屈折力特定ステップであって、前記方法は、
・  その間に前記個人の前記眼が前記特定のスペクトル条件下で照明される眼照明ステップであって、前記特定のスペクトル条件は、白色色のスペクトルとは異なるスペクトルを有する多色光源によって、及び／又は前記個人の前記眼の前に位置付けられ、光源により照明される色フィルタによって提供されるステップと、
・  その間に前記個人の前記眼の前記屈折力が前記特定のスペクトル条件下で特定される屈折力特定ステップと、
を含むステップと、
−  その間に前記スペクトルパラメータに応じた前記個人の前記眼の前記屈折力のモデルが、前記個人の前記眼の前記屈折力の各々及び前記スペクトルパラメータの各々に基づいて特定されるスペクトル−屈折力モデル特定ステップと、
を含む、請求項８に記載の方法。
【請求項１０】
装用時のスペクトル条件下での個人の眼の屈折力を、前記個人の前記眼の前で光を屈折させるように構成された構成要素を含む光学システムを用いて補償する方法であって、
−  その間に特定のスペクトル条件下での前記個人の前記眼の屈折力が特定される、請求項８又は９の方法による屈折力特定ステップと、
−  その間に光学システムが提供される光学システム提供ステップであって、前記光学システムは、前記個人の前記眼の前で光を屈折させるように構成された構成要素を含み、前記構成要素は前記特定された屈折力に応じて選択されるステップと、
−  その間に装用時のスペクトル条件下での前記個人の前記眼の前記屈折力が前記光学システムの前記構成要素により補償される屈折力補償ステップと、
を含む方法。
【請求項１１】
複数の色フィルタから個人に適応させた光学システムのための色フィルタを選択する方法であって、
−  その間に前記個人の処方等の目標屈折力が提供される目標屈折力提供ステップと、
−  その間に眼鏡レンズが提供される眼鏡レンズ提供ステップであって、前記眼鏡レンズは屈折力に関連付けられるステップと、
−  その間に複数の色フィルタが提供される色フィルタ提供ステップであって、各色フィルタは請求項８又は９の方法にしたがって特定される屈折力に関連付けられるステップと、
−  その間に、前記色フィルタの各々について、前記眼鏡レンズと前記色フィルタの関連付けの結果として得られる前記屈折力が特定される結果的屈折力特定ステップと、
−  その間に前記結果的屈折力と前記目標屈折力との差が各色フィルタについて特定される屈折力差特定ステップと、
−  その間に前記結果的屈折力と前記目標屈折力との間の最小差を誘導する前記色フィルタが選択される色フィルタ選択ステップと、
を含む方法。
【請求項１２】
前記特定のスペクトル条件は前記装用時のスペクトル条件に非常に近い、請求項６又は１０に記載の方法。
【請求項１３】
特定のスペクトル条件下での個人の少なくとも片眼の屈折力を特定するようになされたシステムであって、
−  特定のスペクトル条件下で前記個人の前記眼を照明するようになされた光源であって、前記特定のスペクトル条件は、白色光のスペクトルとは異なるスペクトルを有する多色光源により、及び／又は前記個人の前記眼の前に位置付けられ、光源により照明される色フィルタにより提供される光源と、
−  前記個人の前記眼の前記屈折力を特定するようになされた屈折力特定装置と、
を含むシステム。
【請求項１４】
個人に適応させた光学システムであって、前記個人の眼の前で光を屈折させるように構成された構成要素を含み、装用時のスペクトル条件下での前記個人の前記眼の屈折力を請求項６又は１０に記載の前記方法にしたがって補償するようになされる光学システム。
【請求項１５】
個人に適応させた光学システムであって、請求項７又は１１の前記方法にしたがって選択される色フィルタを含む光学システム。
【発明の詳細な説明】
【技術分野】
【０００１】
本発明は、個人の少なくとも片眼の屈折力を特定するための方法及びシステム、個人の眼の屈折力を補償するための方法及びシステム、並びに個人に適応させた光学システムのための色フィルタを選択するための方法及びシステムに関する。
【背景技術】
【０００２】
眼を多色可視光で照明すると、可視光の異なる波長は異なる平面に、すなわち網膜平面より後ろ（長い波長）又はそれより前（短い波長）に集束する。このデフォーカスの振幅は軸上色収差として知られる。
【０００３】
カラーフィルタは近年、サングラスだけでなく、夜間やグレア等の様々な光の状態での快適さと見え方を改善するか、又は異なる光の状態間の遷移を考慮するためにも、眼鏡にますます使用されている。
【０００４】
しかしながら、カラーフィルタは入射光のスペクトルを変化させ、それゆえ、屈折異常化を誘導し、快適さ又は見え方の質を低下させることがある。
【０００５】
例えば、１０カンデラ毎平方メートル（ｃｄ／ｍ２）の輝度レベルで、ハイパスバンドフィルタ（すなわち、６００ｎｍを超えるか、それと等しい波長の信号をフィルタ処理する）は、平均で０．２ディオプトリ（Ｄ）の遠視化を誘導し、ローパスバンドフィルタ（すなわち、５００ｎｍより低い、又はそれと等しい波長の信号をフィルタ処理する）は、平均で−０．８Ｄの近視化を誘導する。遠視化は、近視者について０．４Ｄに到達する可能性があり、近視化は−１．２Ｄに到達する可能性がある。屈折力の変化は、近視者のほうが遠視者と比べて大きい。
【０００６】
多色フィルタから生じる屈折異常化は、疲労を誘発し、視覚的パフォーマンス（視力、コントラスト感度、読書スピード等）を低下させる可能性がある。
【０００７】
さらに、個人に適合する眼鏡を特定する際、装用者の処方が考慮に入れられることが多いが、処方は標準的なスペクトル条件に対応する。したがって、その眼鏡により誘導される屈折力は、特定の、非標準的スペクトル条件には適応されていない。
【発明の概要】
【発明が解決しようとする課題】
【０００８】
したがって、個人の眼の周囲の光のスペクトル特徴にしたがって、個人の少なくとも片眼の屈折力を特定し、個人の眼の屈折力を補償し、個人に適応させた光学システムのための色フィルタを選択することを可能にする方法とシステムが求められている。
【０００９】
本発明の目的は、このような方法とシステムを提供することである。
【課題を解決するための手段】
【００１０】
そのために、本発明は特定のスペクトル条件下での個人の少なくとも片眼の屈折力を特定する方法を提供し、この方法は：
−  その間に個人の眼が前記特定のスペクトル条件下で照明される眼照明ステップであって、前記特定のスペクトル条件は白色光源のスペクトルとは異なるスペクトルを有する多色光源により、及び／又は個人の眼の前に位置付けられ、光源により照明される色フィルタにより提供されるステップと、
−  その間に個人の眼の屈折力が前記特定のスペクトル条件下で特定される屈折力特定ステップと、
を含む。
【００１１】
特定のスペクトル条件での装用者の屈折力誤差を測定することにより、網膜上での光の集束を改善するために適応された処方を作成することができる。装用者は、より鮮鋭な視野を有し、調節負荷がより少なくて済むことになるであろう。
【００１２】
実際、１０ｃｄ／ｍ２の同じ輝度レベル下でニュートラルデンシティフィルタの代わりにローパスバンドフィルタを装用すると、平均して２段階の視力低下を誘導する。３０人の健常者群の最大コントラスト及び輝度レベル１０ｃｄ／ｍ２での平均視力は、入射光を透過率１０％のニュートラルデンシティフィルタでフィルタにかけた場合には−０．１５  ｌｏｇであり、その代わりに入射光をカット値５００ｎｍ、透過率１０％のローパスバンドフィルタでフィルタにかけた場合は＋０．１２Ｄである。
【００１３】
有利な点として、本発明により、後に特定のスペクトル条件下で装用者に適応させた光学システムを特定することに関係するデータを収集できる。実際に、本発明は、特定のスペクトル条件下での個人の少なくとも片眼の屈折力を特定する。
【００１４】
本発明による方法の別の実施形態によれば、
−  多色光源は、ＣＩＥ  ｘｙＹ色空間内のその少なくとも１つの色座標ｘ又はｙが黒体軌跡の、それに対応する色座標から少なくとも０．０１だけ、好ましくは少なくとも０．０２だけ、有利には少なくとも０．０３だけ異なるスペクトルを有し、
−  色フィルタは、厳密に１０より高い、好ましくは厳密に２０より高い、有利には厳密に３０より高いクロマ値を有し、及び／又は
−  屈折力は２色テストを使用することにより特定され、２色テストの色は特定のスペクトル条件に応じて選択される。
【００１５】
本発明の他の目的は、個人に適応させたスペクトル−屈折力モデルを特定する方法であり、この方法は：
−  その間に複数の特定のスペクトル条件が提供される特定スペクトル条件提供ステップと、
−  その間に、特定のスペクトル条件の各々について、前記特定のスペクトル条件に関する少なくとも１つのスペクトルパラメータ、例えばスペクトル又は光量が提供されるスペクトルパラメータ提供ステップと、
−  その間に、特定のスペクトル条件の各々について、本発明による特定のスペクトル条件下での個人の少なくとも片眼の屈折力を特定する方法にしたがって個人の眼の屈折力が連続的に特定される屈折力特定ステップと、
−  その間にスペクトルパラメータに応じた個人の眼の屈折力のモデルが、個人の眼の屈折力の各々及びスペクトルパラメータの各々に基づいて特定されるスペクトル−屈折力モデル特定ステップと、
を含む。
【００１６】
有利な点として、本発明により個人の眼のスペクトルパラメータと屈折力との間の関係を確立することができる。
【００１７】
本発明による方法の別の実施形態によれば、スペクトル−屈折力モデル特定ステップ中、モデルは、スペクトルパラメータに応じた個人の眼の屈折力の内挿及び／又は外挿により特定される。
【００１８】
本発明の他の目的は、特定のスペクトル条件下での個人の眼の少なくとも片眼の屈折力を特定する方法であり、この方法は：
−  その間にスペクトルパラメータに応じた少なくとも片眼の屈折力のモデルが提供されるスペクトル−屈折力モデル提供ステップと、
−  その間に個人の特定のスペクトル条件に関する少なくとも１つのスペクトルパラメータが提供されるスペクトルパラメータ提供ステップと、
−  その間に特定の光条件下での個人の眼の屈折力がモデル及び光パラメータに基づいて特定される屈折力特定ステップと、
を含む。
【００１９】
このような方法により、特定のスペクトル条件により誘導される屈折エラーを予測し、測定せずにそれを補償することが可能となる。この結果は、個人適応型というより汎用型である。このような方法は、正視者用のサンレンズに特に有益である。
【００２０】
有利な点として、本発明により、個人の眼の屈折力を離れた場所で器具を用いずに特定することが可能となる。
【００２１】
本発明による方法の別の実施形態によれば、スペクトル−屈折力モデル提供ステップ中、スペクトルパラメータに応じた少なくとも片眼の屈折力のモデルは、本発明による個人に適応させたスペクトル−屈折力モデルを特定する方法により特定される。
【００２２】
本発明の他の目的は、装用時のスペクトル条件下での個人の眼の屈折力を、個人の眼の前で光を屈折させるように構成された構成要素を含む光学システムを使って補償する方法であり、この方法は：
−  その間に特定のスペクトル条件下での個人の眼の屈折力が、本発明による特定のスペクトル条件下で個人の少なくとも片眼の屈折力を特定する方法にしたがって特定される屈折力特定ステップと、
−  その間に光学システムが提供される光学システム提供ステップであって、光学システムは、個人の眼の前で光を屈折させるように構成された構成要素を含み、構成要素は特定された屈折力に応じて選択されるステップと、
−  その間に装用時のスペクトル条件下での個人の眼の屈折力が光学システムの構成要素により補償される屈折力補償ステップと、
を含む。
【００２３】
有利な点として、本発明により、装用時のスペクトル条件に対応する軸上色収差を補正することができる。
【００２４】
本発明による方法の別の実施形態によれば、屈折力特定ステップ中、特定のスペクトル条件は装用時のスペクトル条件に非常に近い。
【００２５】
本発明の他の目的は、複数の色フィルタの中から個人に適応させた光学システムのための色フィルタを選択する方法であり、この方法は：
−  その間に個人の処方等の目標屈折力が提供される目標屈折力提供ステップと、
−  その間に眼鏡レンズが提供される眼鏡レンズ提供ステップであって、眼鏡レンズは屈折力に関連付けられるステップと、
−  その間に複数の色フィルタが提供される色フィルタ提供ステップであって、各色フィルタは本発明による特定のスペクトル条件下での個人の少なくとも片眼の屈折力を特定する方法にしたがって特定される屈折力に関連付けられるステップと、
−  その間に、色フィルタの各々について、眼鏡レンズと色フィルタの関連付けの結果として得られる屈折力が特定される結果的屈折力特定ステップと、
−  その間に、各色フィルタについて、結果的屈折力と目標屈折力との差が特定される屈折力差特定ステップと、
−  その間に結果的屈折力と目標屈折力との間の最小差を誘導する色フィルタが選択される色フィルタ選択ステップと、
を含む。
【００２６】
有利な点として、本発明により、特定のスペクトル条件下で個人に適応させた色フィルタを選択することができる。
【００２７】
本発明の他の目的は、特定のスペクトル条件下での個人の少なくとも片眼の屈折力を特定するようになされたシステムであり、このシステムは：
−  特定のスペクトル条件下で個人の眼を照明するようになされた光源であって、特定のスペクトル条件は、白色光のスペクトルとは異なるスペクトルを有する多色光源により、及び／又は個人の眼の前に位置付けられ、光源により照明される色フィルタにより提供される光源と、
−  個人の眼の屈折力を特定するようになされた屈折力特定装置と、
を含む。
【００２８】
有利な点として、本発明により、特定のスペクトル条件下での個人の少なくとも片眼の屈折力を特定することができる。
【００２９】
本発明の他の目的は、個人に適応させた光学システムであり、光学システムは、個人の眼の前で光を屈折させるように構成された構成要素を含み、光学システムは、装用時のスペクトル条件下での個人の眼の屈折力を補償するようになされる。
【００３０】
有利な点として、本発明により、装用時のスペクトル条件下での個人の眼の屈折力を補償することができる。
【００３１】
本発明の他の目的は、個人に適応させた光学システムであり、光学システムは複数の色フィルタの中から選択される色フィルタを含む。
【００３２】
有利な点として、本発明により特定のスペクトル条件下で個人に適応させた色フィルタを選択することができる。
【００３３】
ここで、本発明の非限定的な実施形態を、あくまでも例として、下記のような図面を参照しながら説明する。
【図面の簡単な説明】
【００３４】
【図１】本発明の実施形態による、個人の少なくとも片眼の屈折力を特定する方法のステップの概略図である。
【図２】本発明の実施形態による、個人に適応させたスペクトル−屈折力モデルを特定する方法のステップの概略図である。
【図３】本発明の実施形態による、個人の少なくとも片眼の屈折力を特定する方法のステップの概略図である。
【図４】本発明の実施形態による、個人の眼の屈折力を補償する方法のステップの概略図である。
【図５】本発明の実施形態による、個人に適応させた光学システムのための色フィルタを選択する方法のステップの概略図である。
【図６】本発明の実施形態による個人の少なくとも片眼の屈折力を特定するようになされたシステムの概略図である。
【図７−８】本発明の実施形態による、個人に適応させた光学システムの概略図である。
【発明を実施するための形態】
【００３５】
図中の要素は簡潔さと明瞭さのために示されており、必ずしも正確な縮尺によって描かれてはいない。例えば、図中の要素の幾つかの寸法は、本発明の実施形態の理解を深めるのに役立てるように他の要素より誇張されている場合がある。
【００３６】
本発明は図１に示されるような、特定のスペクトル条件下での個人の少なくとも片眼２の屈折力を特定する方法に関する。
【００３７】
本発明の意味において、特定された屈折力とは、個人の眼を通る可視光の波の伝搬方向の変化を指す。特定された屈折力は、正視眼に対応しても、近視、遠視、老視、乱視、その他等の何れかの眼の異常を指す非正視眼に対応してもよい。
【００３８】
本発明の意味において、特定された屈折力は単眼に関するものでも両眼に関するものでもよい。
【００３９】
本発明の意味において、特定のスペクトル条件とは、ＣＩＥ標準光源Ｄ６５とは異なるスペクトル条件である。特定のスペクトル条件には、波長分布等の色度に関する条件及び／又は積算光量等に関する条件が含まれてよい。
【００４０】
方法は、眼照明ステップＳ２と屈折力特定ステップＳ４を含む。
【００４１】
眼照明ステップＳ２中に、図６に示されるように、個人の少なくとも片眼２は、前記特定のスペクトル条件下で光源４により照明される。
【００４２】
特定のスペクトル条件は、空間及び／又は時間において均一であってよい。換言すれば、個人の少なくとも片眼２を照明する光の最大及び最小色相間の差は９０°未満、好ましくは４５°未満である。
【００４３】
変形型において、特定のスペクトル条件は空間及び／又は時間において均一でない。例えば、このようなスペクトル条件は、空間的に縮小された（点状）及び／又は動的な光源により得られる。
【００４４】
光源４は、一次又は二次光源であってよい。光源４は、個人の少なくとも片眼２を、直接又は、例えばミラーにより反射される等、間接に照明してよい。
【００４５】
光源４は、白色光源のスペクトルとは異なる発光スペクトルを有する多色光源６であってよい。この場合、特定のスペクトル条件は、多色光源６の発光スペクトルに関する。
【００４６】
有利な点として、特定のスペクトル条件を生成するために色フィルタは不要であり、その結果、単純な装置となる。
【００４７】
光源４は、１つ又は複数のＲＧＢ光源によって、例えば１つの赤色、１つの緑色、及び１つの青色ＬＥＤからなるＲＧＢ  ＬＥＤによって、又はこのようなＲＧＢ  ＬＥＤを含むディスプレイモニタによって生成されてよい。
【００４８】
有利な点として、ＲＧＢ光源は特定のスペクトル条件を微調整するために使用されてよい。ＲＧＢ光源はまた、各々が異なる特定のスペクトル条件に対応する複数の光源を生成してよく、本発明の方法は、各々の特定のスペクトル条件について連続的に実行されてよい。
【００４９】
多色光源６は、ＣＩＥ  ｘｙＹ色空間内のその少なくとも１つの色座標ｘ又はｙが黒体軌道の、それに対応する色座標から少なくとも０．０１だけ、好ましくは少なくとも０．０２だけ、有利には少なくとも０．０３だけ異なるスペクトルを有していてよい。
【００５０】
色フィルタ８は、個人の少なくとも片眼２と光源４との間に位置付けられてよい。光源４は例えば、ＣＩＥ正規化光源である。それゆえ、光源４により発せられた光は色フィルタ８を透過し、透過光は個人の前記少なくとも片眼２を照明する。
【００５１】
有利な点として、特定のスペクトル条件は何れの種類の光源４から得られてもよい。
【００５２】
特定のスペクトル条件はそれゆえ、光源４により照明される色フィルタ８の透過スペクトルに対応する。
【００５３】
色フィルタ８のクロマ値は、ＣＩＥ標準光源Ｄ６５によるＣＩＥ  ２°の標準観測者に基づいて計算されてよい。
【００５４】
本発明の実施形態によれば、色フィルタ８のクロマ値は１０より高いかこれと等しく、好ましくは２０より高いかこれと等しく、より好ましくは３０より高いかこれと等しくてよい。
【００５５】
有利な点として、色フィルタ８は、白色とは知覚可能に異なる色を有する光を透過させる。それゆえ、フィルタのスペクトル透過は、透過域が４００ｎｍ〜８００ｎｍと等しいであろうニュートラルフィルタとは異なる。
【００５６】
屈折力特定ステップＳ４中、前記個人の少なくとも片眼２の屈折力が前記特定のスペクトル条件下で特定される。
【００５７】
有利な点として、本発明により、後で、特定のスペクトル条件下で装用者に適応させた光学システムを特定することに関連するデータを特定できる。
【００５８】
屈折力特定ステップは、他覚方式又は自覚方式で行われてよい。
【００５９】
換言すれば、個人の前記少なくとも片眼２の屈折力は、検影器又は自動屈折計等の測定器により行われる測定に基づいて特定されてよく、これは他覚方式に対応する。
【００６０】
有利な点として、屈折力は、個人が話せない（例えば、赤ちゃん）又は屈折力を特定している開業医の使用する言語を話さない場合であっても特定されてよい。
【００６１】
代替的に、個人の前記少なくとも片眼２の屈折力は、フォロプタを用いた検査による等、個人により提供されるフィードバックに基づいて特定されてよく、これは自覚方式に対応する。
【００６２】
有利な点として、どの設定により最善の視野が得られるかに関する自覚的フィードバックが提供される。
【００６３】
変形型において、又は追加的に、屈折力は、視力テストでの２色テスト又は多色テスト（カラーコンビネーション）又は屈折力を最適化するための画像を使って特定されてよい。２色テストは、屈折力の最終段階をさらに精査するために一般的に使用される試験であり、これは眼の色収差を利用する。実際に、眼の色収差により、より短い波長（緑）はより長い波長（赤）より前で合焦する。典型的には、患者にパネルの緑側及び赤側の文字の鮮明さを比較させる。緑側の文字がより鮮明であれば、＋０．２５Ｄの球面度数が追加され、赤側の文字の方が鮮明であれば、−０．２５Ｄの球面度数が追加される。最適な球面補正により、チャートの赤及び緑両側の文字が同等に鮮明に見える。したがって、文字の明瞭度又は知覚品質が赤（６５０ｎｍ）と緑（５００ｎｍ）との背景間で同じになるまでレンズの屈折力を調整することによって、最善の屈折力が特定される。レンズの適当な屈折力により、網膜での合焦を緑／赤間のデフォーカス化の中間に位置付けることができる。
【００６４】
有利な点として、２色コンビネーションの色は、評価するフィルタのスペクトルに応じて、又は光源に応じて選択される。例えば、黄色フィルタ（４８０ｎｍ）が選択されると、２色テストは、例えば青（４２０ｎｍ）と黄／緑（５４０ｎｍ）の波長で設定されて、新たな屈折力が査定される。好ましくは、カラーコンビネーションはカットフィルタを覆い、その上で中央合わせが行われる。パネルの中央と端部との間の範囲が高いほど、評価の精度が高くなる。
【００６５】
本発明の他の目的は、図２に示されるような、個人に適応させたスペクトル−屈折力モデルを特定する方法である。
【００６６】
方法は、特定スペクトル条件提供ステップＳ６と、スペクトルパラメータ提供ステップＳ８と、屈折力特定ステップＳ１０と、スペクトル−屈折力モデル特定ステップＳ１２と、を含む。
【００６７】
特定スペクトル条件提供ステップＳ６中、複数の特定のスペクトル条件が提供される。
【００６８】
スペクトルパラメータ提供ステップＳ８中、特定スペクトル条件提供ステップＳ６において提供された特定のスペクトル条件の各々について、前記特定のスペクトル条件に関する少なくとも１つのスペクトルパラメータが提供される。このようなスペクトルパラメータには、スペクトル又は光量が含まれていてよい。
【００６９】
屈折力特定ステップＳ１０中、個人の少なくとも片眼２の屈折力は、特定のスペクトル条件の各々について連続的に特定される。個人の少なくとも片眼２の屈折力の毎回の特定は、本発明による眼照明ステップＳ２及び屈折力特定ステップＳ４を含む方法により実行されてよい。
【００７０】
スペクトル−屈折力モデル特定ステップＳ１２中、スペクトルパラメータに応じた個人の眼の屈折力のモデルは、屈折力特定ステップＳ１０中に特定された個人の眼の屈折力の各々に基づいて、及びスペクトルパラメータ提供ステップＳ８中に提供されたスペクトルパラメータの各々に基づいて特定される。
【００７１】
有利な点として、各スペクトルパラメータと特定された各屈折力との間の対応が確立される。したがって、モデルは、スペクトルパラメータに基づいて屈折力を特定するためにも、又はスペクトルパラメータを屈折力に基づいて特定するためにも使用されてよい。
【００７２】
モデルは、スペクトルパラメータに応じた個人の眼の屈折力の内挿及び／又は外挿により特定されてよい。
【００７３】
例えば、モデルは最小二乗回帰等の回帰により特定される。
【００７４】
有利な点として、モデルはスペクトルパラメータと特定された屈折力をフィットさせて、ある範囲の何れかの特定のスペクトル条件へと拡張される。
【００７５】
本発明の他の目的は、図３に示されているような、特定のスペクトル条件下での個人の少なくとも片眼の屈折力を特定する方法である。
【００７６】
方法は、スペクトルパラメータ提供ステップＳ１４と、スペクトル−屈折力モデル提供ステップＳ１６と、屈折力特定ステップＳ１８と、を含む。
【００７７】
スペクトルパラメータ提供ステップＳ１４中、特定のスペクトル条件に関する少なくとも１つのスペクトルパラメータが提供される。
【００７８】
スペクトル−屈折力モデル提供ステップＳ１６中、スペクトル又は光量等のスペクトルパラメータに応じた少なくとも片眼の屈折力のモデルが提供される。
【００７９】
モデルは、特定スペクトル条件提供ステップＳ６と、スペクトルパラメータ提供ステップＳ８と、屈折力特定ステップＳ１０と、スペクトル−屈折力モデル特定ステップＳ１２と、を含む前述の本発明による方法により予め特定されてよい。
【００８０】
モデルは、汎用であっても、ある個人又は人々のあるカテゴリに特定であってもよい。本発明の意味において、人々のカテゴリは例えば、年齢又は視力のカテゴリである。
【００８１】
複数の特定モデルが提供されてよい。
【００８２】
有利な点として、個人の眼の屈折力の特定が、モデルを確立するために十分な回数だけ行われると、本発明により、異なるスペクトル条件下での同じ眼の屈折力、又は何れかの特定の条件下での同じカテゴリに属する多数の人の眼の屈折力等、他の屈折力の何れの計測も行わずに、素早く特定することが可能となる。
【００８３】
一例として、モデルは数学的モデルである。モデルは例えば、エクストリームフィルタ（例えば、ローパスバンド（５００ｎｍ）及びハイパスバンド（６００ｎｍ）フィルタ）を使って特定される。屈折によるデフォーカス量は、以下の表現を通じて得られる：
【数１】
2021506518.tif 000003
式中：
・  Ｄは、屈折によるデフォーカス量である。
・  Ｔ（λ）はフィルタのスペクトル透過率の関数である。
・  λは波長（ｎｍ）である。
・
【数２】
2021506518.tif 000004
は、λ１とλ２との間の（例えば、４８０ｎｍと５８０ｎｍとの間の）関数の平均である。
・
【数３】
2021506518.tif 000005
は、λ３とλ４との間の（例えば、５８０ｎｍと６８０ｎｍとの間の）関数の平均である。
・  ａとｂは定数である。
【００８４】
等式（１）の代替案として、異なる波長（少なくとも２つ）についてのデフォーカス量Ｄｉ（λｉ）がわかっている場合、及び装用者がそのレンズの上に載せるフィルタの透過率Ｔｉ（λｉ）もわかっている場合、フィルタのデフォーカスを補償するために必要なデフォーカス量を、以下の表現を用いて計算することが可能である：
【数４】
2021506518.tif 000006
式中：
・  Ｄｆｉｎａｌは最終的な屈折によるデフォーカス量である。
・  Ｄｉは波長λｉにより誘導されるデフォーカス量である。
・  Ｔｉはλｉに関するレンズの透過率である。
・  λｉはナノメートルで表現される波長であり、４００ｎｍ〜８００ｎｍである。
・  Ｎは５より大きい。
【００８５】
モデルはまた、デフォーカス量が輝度にも依存するため、輝度成分も含めてよい。したがって、例えば、３つの異なるモデル、すなわち暗所レベルの１つ、薄明レベルの１つ、及び明所レベルの１つを使用することができる。
【００８６】
また、２つ又はそれ以上の異なるモデルを使用することも可能であり、各モデルは異なる明所視輝度レベルに適応される。輝度レベルのこのような例は、異なる範囲の輝度高さに対応してよく、例えばそれぞれ１ｃｄ／ｍ２未満及びそれを超える異なる範囲の輝度の高さに対応してよく、又はそれぞれ０．１ｃｄ／ｍ２未満の暗い、すなわち暗所光、０．１ｃｄ／ｍ２を超え、１０ｃｄ／ｍ２未満の薄明光、及び１０ｃｄ／ｍ２を超える明所光と呼ばれてよい。
【００８７】
年齢と屈折異常もまたこのようなモデルに含められてもよい。
【００８８】
屈折力特定ステップＳ１８中、特定のスペクトル条件下での個人の眼の屈折力は、提供されたモデルに基づいて、及び提供されたスペクトルパラメータに基づいて特定される。
【００８９】
本発明の方法は、個人的パラメータ提供ステップＳ１５をさらに含んでいてよく、その間に、個人の年齢に、又はその視力に関するもの等、個人に関する個人的パラメータが提供される。
【００９０】
実施形態において、方法はさらに、モデル選択ステップＳ１７を含み、その間に特定のスペクトル−屈折力モデルが複数の提供されたモデルの中から選択される。すると、屈折力特定ステップＳ１８中に、個人の眼の屈折力が選択されたモデルに基づいて特定される。モデルの選択は、提供された個人的パラメータに基づき、及び／又はスペクトルパラメータに基づいていてよい。
【００９１】
有利な点として、個人及び／又は関心対象のスペクトル条件に最も適合するモデルが選択される。
【００９２】
本発明の他の目的は、図４に示されるような、装用時のスペクトル条件下での個人の眼の屈折力を、個人の眼の前で光を屈折させるように構成された少なくとも１つの構成要素を含む光学システムで補償する方法である。
【００９３】
有利な点として、本発明により、装用時のスペクトル条件下での個人の眼の屈折力を補償することができる。したがって、装用時のスペクトル条件下で個人に適応させた光学システムが提供され得る。
【００９４】
構成要素は色フィルタを含んでいてよい。色フィルタは、単色でも多色型でもよい。光学フィルタは、能動型でも受動型でもよい。光学フィルタは均一でもよく、又は勾配を有していてもよい。
【００９５】
例えば、光学フィルタのスペクトルは、フルスペクトルキセノン光源を備える分光光度計及び少なくとも可視範囲（例えば、４００ｎｍ〜８００ｎｍ）の光を測定するモノクロメータを使って測定される。
【００９６】
構成要素は光学レンズを含んでいてよい。
【００９７】
方法は、屈折力特定ステップＳ２０と、光学システム提供ステップＳ２２と、屈折力補償ステップＳ２４と、を含む。
【００９８】
屈折力特定ステップＳ２０中に、特定のスペクトル条件下での個人の眼の屈折力がある方法により特定される。
【００９９】
特定のスペクトル条件下での個人の少なくとも片眼の屈折力を特定する前記方法は、眼照明ステップＳ２と屈折力特定ステップＳ４を含む本発明による方法であってよい。
【０１００】
特定のスペクトル条件下での個人の少なくとも片眼の屈折力を特定する前記方法は、スペクトルパラメータ提供ステップＳ１４と、スペクトル−屈折力モデル提供ステップＳ１６と、屈折力特定ステップＳ１８と、を含む本発明による方法であってよい。
【０１０１】
特定のスペクトル条件は、装用時のスペクトル条件と非常に近くてよい。
【０１０２】
光学システム提供ステップＳ２２中、光学システムが提供される。光学システムは、個人の眼の前で光を屈折させるように構成された１つ又は複数の構成要素を含む。
【０１０３】
構成要素は、特定された屈折力に応じて選択される。
【０１０４】
各構成要素は能動型でも受動型でもよい。
【０１０５】
能動型構成要素は、時間により異なり得る装用時のスペクトル条件について補償するようにプログラムされてよいという点で特に有利である。
【０１０６】
屈折力補償ステップＳ２４中、装用時のスペクトル条件下での個人の眼の屈折力は、光学システムの構成要素により補償される。
【０１０７】
一例として、装用者のレンズの屈折力は、装用者により選択されたフィルタパラメータ（透過率とスペクトル）に応じて調整される。例えば、片眼について、１０／１０の視力とも呼ばれる０  ｌｏｇの視力を得るための−２．００Ｄの近視矯正処方を有する個人を考える。さらに、その個人は透過率１８％の茶色のフィルタを備える眼鏡を選択する。レンズと茶色のフィルタとの組合せにより視力損失が誘導され、視力は０．１  ｌｏｇ（８／１０）となる。１００ｃｄ／ｍ２を超える高い輝度条件で同じフィルタを用いて屈折力特定ステップを行うと、１０／１０の視力を実現するために、−１．７５Ｄに対応する屈折力を得られ得る。したがって、この例では、屈折力補償ステップ中、装用時のスペクトル条件下でのこの個人の眼の屈折力は、最終的なサンフィルタ処方が−１．７５Ｄの、レンズに関連付けられる茶色のフィルタにより補償される。
【０１０８】
本発明の他の目的は、図５に示されるような、個人に適応させた光学システムのための色フィルタを複数の色フィルタの中から選択する方法である。
【０１０９】
方法は、目標屈折力提供ステップＳ２６と、眼科レンズ提供ステップＳ２８と、色フィルタ提供ステップＳ３０と、結果的屈折力特定ステップＳ３２と、屈折力差特定ステップＳ３４と、色フィルタ選択ステップＳ３６と、を含む。
【０１１０】
目標屈折力提供ステップＳ２６中、個人の処方等の目標屈折力が提供される。実施形態において、目標屈折力は正視眼に対応してよい。
【０１１１】
眼科レンズ提供ステップＳ２８中、眼科レンズが提供される。眼科レンズは、屈折力に関連付けられる。
【０１１２】
色フィルタ提供ステップＳ３０中、複数の色フィルタが提供される。
【０１１３】
各色フィルタは屈折力に関連付けられる。屈折力は、特定のスペクトル条件下での個人の少なくとも片眼の屈折力を特定する方法により事前に特定されていてよい。
【０１１４】
特定のスペクトル条件下での個人の少なくとも片眼の屈折力を特定する前記方法は、本明細書に記載されている、眼照明ステップＳ２と屈折力特定ステップＳ４を含む本発明による方法であってよい。
【０１１５】
特定のスペクトル条件下での個人の少なくとも片眼の屈折力を特定する前記方法は、スペクトルパラメータ提供ステップＳ１４と、スペクトル−屈折力モデル提供ステップＳ１６と、屈折力特定ステップＳ１８と、を含む本発明による方法であってよい。
【０１１６】
結果的屈折力特定ステップＳ３２中、色フィルタの各々について、眼科レンズと色フィルタの関連付けの結果としての屈折力が特定される。
【０１１７】
屈折力差特定ステップＳ３４中、結果的屈折力と目標屈折力との間の差が、各色フィルタについて特定される。
【０１１８】
色フィルタ選択ステップＳ３６中、結果的屈折力と目標屈折力との最小差を誘導する色フィルタが選択される。
【０１１９】
有利な点として、選択された色フィルタは、目標屈折力に到達するように屈折力を適応させることに寄与する特定のスペクトル条件を誘導する。したがって、目標屈折力には、眼科レンズの曲率によってのみ到達するのではないため、本発明により、眼科レンズの製造がより柔軟になる。
【０１２０】
一例として、フィルタにより誘導される屈折異常化が光学効果を補正するために使用される。例えば、夜間には近視化が観察され得る。この近視化を補償するために、低／中波長をカットするフィルタが使用されてよい。個人の片眼のための処方が透明レンズで＋３．００Ｄに対応し、暗所条件により−０．２５Ｄの近視化が誘導される場合、近視化を補償するために、低及び中波長をカットする特定のフィルタ、例えば＋０．２５Ｄのシフトを誘導する茶色のフィルタに関連付けられる＋３．００Ｄの球面度数を有するレンズを持つ新しい器具が提案されてよい。他の応用は、老視効果を補償するようにフィルタを適応させることである。通常４５歳前後の老視初期では、人々は通常、調節力の喪失を補償するために、単焦点に累進レンズにしろ、小さい屈折力の眼鏡を必要とする。本願の革新によれば、代替的に、例えばフレームに合わせて調整可能な取外し可能なクリップに取り付けられたフィルタを調整することが提案される。フィルタは、網膜上の像をシフトさせて最善の視力が得られるようにするために、高い波長をカットする、すなわちローパスバンドフィルタであってよい。装用者の処方が例えば１．２５Ｄの加入度を含む場合、５００ｎｍのパスバンド等のローパスバンドフィルタを適用し、１０ｃｄ／ｍ２の輝度レベルで屈折力を−１．２５Ｄにシフトさせてよい。クリップを用いたこの解決策により、低価格で非常に素早く最善の矯正を調整できる。この応用は、ビジュアルケアを受けにくい国々において特に有益である。
【０１２１】
他の例では、フィルタ（ローパスバンド）の追加は、特定の近見作業（ＤＩＹ、縫物、コンピュータ作業等の精密な活動）のためにこのフィルタを追加して小さい倍率を加えることによって、従来の光学的加入を完全にすることを可能にする。高齢又は老視の人々は、老視効果を（例えば、約４０ｃｍの距離で）補償するための加入度のものを装用する。より近い距離（より注意集中力を用いる特定の活動）用には、さらに強い度数を加入しなければならない。新たな器具の代わりに、この追加の屈折力を補償するために特定のフィルタを追加できる。前述の例と同様に、ローパスバンドフィルタを追加することにより、近距離での調節力の損失を補償できる。最善のフィルタを特定するために、前述のように論理モデルを使用するか、装用者により選択される特定の条件（作業距離、光の条件等）で、スペクトルの異なるフィルタを用いて新たな屈折力特定ステップを実行して、調節負荷をより小さくすることのできる適当なフィルタを特定する。レンズの度数を調整することに対するフィルタを使用した場合の利点は、もともとの作業距離を保持することである。実際、新たな光学屈折力を加入することにより、装用者は自分の作業距離をより短くしなければならないであろう。
【０１２２】
エレクトロニック又はエレクトロクロミック眼鏡レンズは、レンズの度数を調整できるだけでなく、レンズの色をフィルタにかけることができる。フレームに組み込まれたセンサのおかげで、光条件、作業距離、装用者の疲労（例えば瞼の分析）等の分析により、及び装用者の初期屈折力プロファイル（屈折力、年齢、瞳孔挙動、生活様式等）から、本発明による光学レンズは、度数を調節し、及び／又はカラーフィルタを調節することによって初期屈折力を調整し、視覚的パフォーマンス（視力、コントラスト、調節負荷）を改善する。度数又はフィルタ調整の選択は、例えば審美的基準、又は作業距離の快適さに応じて特定されてよい。
【０１２３】
例えば、両眼について、＋２．５０Ｄの標準スペクトル条件下で同じ＋２．００の加入度の同じ処方を有する個人を考える。この例において、この個人は５０歳である。その愛好する活動は、屋外でのゴルフ、仕事のためのラップトップを用いた活動、及び週末の切手収集である。ゴルフでは、サンレンズ（茶色クラス３）をかける。この活動のための最適なコントラストと視覚的パフォーマンスを維持するために、眼科医又は眼鏡士は、選択されたサンレンズの色フィルタを照明する高い輝度（１００ｃｄ／ｍ２を超える）の光源に対応するスペクトル条件下で新しい屈折力特定を実現する。この例において、＋０．２５Ｄのシフトが見られ、視力は０．０５  ｌｏｇ高くなり、コントラストは１０％改善される。この人物のサングラスのための最終的な屈折力処方はそれゆえ、遠見用については＋２．７５Ｄに対応するように調整されてよい。近見用（切手収集）については、この個人は現在使用中の累進レンズが提供するものより正確な視覚的パフォーマンスを必要とする。快適さを改善するために、この装用者には＋０．７５Ｄ高い加入度が必要である。この問題を解決するために、装用者はフィルタを調整して、人間工学的距離を保持しながらコントラストを改善してよい。提案されるフィルタは、クリップ等の取外し可能なフィルタであってよく、又はエレクトロクロミックレンズの色構成に対応していてもよい。フィルタの適切な特性を特定するために、異なるカット値を有する幾つかのローパスバンドフィルタをテストして、各フィルタについての対応する屈折力を特定してよい。すると、この例によれば＋０．７５Ｄの必要なシフトに最も近いシフトを提供するフィルタが選択され、この装用者に提供されるであろう。
【０１２４】
本発明の他の目的は、特定のスペクトル条件下での個人の少なくとも片眼２の屈折力を特定するようになされたシステム１０であり、システム１０は、図６に示されるように、特定のスペクトル条件下で個人の眼２を照明するようになされた光源４を含む。システム１０はまた、個人の眼２の屈折力を特定するようになされた屈折力特定装置１２も含む。
【０１２５】
特定のスペクトル条件は、白色光のスペクトルとは異なるスペクトルを有する多色光源６によって、及び／又は個人の眼２の前に位置付けられた色フィルタ８により提供されてよい。
【０１２６】
本発明によるシステムの別の実施形態によれば、システム１０は特定のスペクトル条件下での個人の少なくとも片眼２の屈折力を、本発明による特定のスペクトル条件下で個人の少なくとも片眼の屈折力を特定する方法によって特定するようになされ、この方法は、眼照明ステップＳ２と屈折力特定ステップＳ４を含む。
【０１２７】
本発明の他の目的は、図７に示されるような個人に適応させた光学システム２０であり、光学システム２０は、個人の眼の前で光を屈折させるように構成された構成要素２２を含み、光学システム２０は、装用時のスペクトル条件下での個人の眼２の屈折力を補償するようになされている。構成要素２２は屈折力に応じて選択され、屈折力は、本発明による特定のスペクトル条件下での個人の少なくとも片眼の屈折力を特定する方法によって特定される。
【０１２８】
実施形態において、特定のスペクトル条件下での個人の少なくとも片眼の屈折力を特定する前記方法は、眼照明ステップＳ２と屈折力特定ステップＳ４を含む本発明による方法である。
【０１２９】
実施形態において、特定のスペクトル条件下での個人の少なくとも片眼の屈折力を特定する前記方法は、スペクトルパラメータ提供ステップＳ１４と、スペクトル−屈折力モデル提供ステップＳ１６と、屈折力特定ステップＳ１８と、を含む本発明による方法である。
【０１３０】
本発明の他の目的は、図８に示されるような個人に適応させた光学システム３０であり、光学システム３０は複数の色フィルタから選択された色フィルタ３２を含む。色フィルタ３２は、本発明による複数の色フィルタから個人に適応させた光学システム用色フィルタを選択する方法によって選択される。
【０１３１】
以上、本発明を実施形態を利用して説明したが、一般的な発明の概念は限定されない。
【０１３２】
当業者であれば、例として提示されているにすぎず、付属の特許請求の範囲によってのみ特定される本発明の範囲を限定するものではない上記の例示的な実施形態を参照すれば、他の多くの改良や変更を着想するであろう。
【０１３３】
特許請求の範囲において、「〜を含む（ｃｏｍｐｒｉｓｉｎｇ）」という単語はその他の要素又はステップを排除せず、不定冠詞「ａ」又は「ａｎ」は複数形を排除しない。異なる特徴が相互に異なる従属項に記載されているというだけで、これらの特徴の組合せを有利に利用することはできない、ということにはならない。請求項中の何れの参照符号も、本発明の範囲を限定するものと解釈すべきではない。
【図１】
2021506518.tif 000007
【図２】
2021506518.tif 000008
【図３】
2021506518.tif 000009
【図４】
2021506518.tif 000010
【図５】
2021506518.tif 000011
【図６】
2021506518.tif 000012
【図７】
2021506518.tif 000013
【図８】
2021506518.tif 000014
【国際調査報告】
2021506518.tif 000015
2021506518.tif 000016
2021506518.tif 000017
2021506518.tif 000018
2021506518.tif 000019
2021506518.tif 000020